(57)【要約】      （修正有）【課題】芯材の配置あるいは材料選択の適正化により、軽量化を図ると共に型くずれの恐れが少ない紳士服の上着を提供する。【解決手段】紳士服の上着は、前身頃１、背面身頃２、脇身頃３、袖、襟４の表地と、その裏側の適宜部位に芯材と裏地を備えており、前記前身頃１の胸部の芯材として、毛芯１０のみを  又は  不織布のみを使用し、該前身頃１のボタンホール部分に、芯材としてスレキ１５のみを縫着する。【選択図】図２
0003177834.tif 000002
【実用新案登録請求の範囲】
【請求項１】
前身頃、背面身頃、脇身頃、袖、襟の表地と、その裏側の適宜部位に芯材と裏地を備えた紳士服の上着において、
前記前身頃の胸部の芯材として、毛芯のみを  又は  不織布のみを使用し、
該前身頃のボタンホール部分に、芯材としてスレキのみを縫着したことを特徴とする紳士服の上着。
【請求項２】
前記紳士服の上着が、冬物であることを特徴とする請求項１記載の紳士服の上着。
【請求項３】
前記裏地が、前記前身頃においてはその上部にのみ、前記袖においては少なくともアームホール部分にのみ、縫着されていることを特徴とする請求項１又は２記載の紳士服の上着。
【請求項４】
前記裏地が、前記背面身頃においてはその上部にのみ縫着されていることを特徴とする請求項１〜３のいずれか１の項に記載の紳士服の上着。
【考案の詳細な説明】
【技術分野】
【０００１】
本願考案は、紳士服の上着（スーツの上着や代え上着等をいう。この明細書および実用新案登録請求の範囲において、単に上着ともいう）に関する。
【背景技術】
【０００２】
近年、服についても、種々改良がおこなわれている。例えば、皺になり難い服地や服地の防染等の後加工や、通風性の点でより優れた夏服等の種々の改良がおこなわれている。
【０００３】
その一連の改良の１つとして、紳士服についても、着心地の良さや着易さ等に鑑みて、軽量化が図られている。その軽量化の１つとして、裏地の省略がおこなわれたものが提供されている（特許文献１）。
また、服地そのものを軽量化すること等によっても軽量化がおこなわれている。
【先行技術文献】
【特許文献】
【０００４】
【特許文献１】実用新案登録第３０６６７２６号公報
【考案の概要】
【考案が解決しようとする課題】
【０００５】
しかしながら、それ以上の軽量化は、上着の形態を形成するためやその形態を維持すること（型くずれしないこと）等を考えると、極めて難しいものがある。
【０００６】
本考案は、このような状況に鑑みておこなわれたもので、可及的に軽量化された紳士服の上着を提供することを目的とする。
【課題を解決するための手段】
【０００７】
本考案にかかる紳士服の上着は、前身頃、背面身頃、脇身頃、袖、襟の表地と、その裏側の適宜部位に芯材と裏地を備えた紳士服の上着において、
前記前身頃の胸部の芯材として、毛芯のみを  又は  不織布のみを使用し、該前身頃のボタンホール部分に、芯材としてスレキのみを縫着したことを特徴とする。
【０００８】
しかして、前記構成を有する上着によれば、前身頃に、バス毛芯、フェルト芯の芯材を縫着しないことから、さらなる上着の軽量化が図れることになる。そして、前記前身頃のボタンホール部分に、芯材としてスレキのみを縫着した構成とすると、軽量化がさらに図れるとともに、ボタンホール部分の剛性が向上して、従前のものと同じくボタンをしっかりと止めることができる上着となる。
この結果、従来にない軽さの、且つ、非常に着心地の良い、また動き易い上着となる。
【０００９】
また、前記紳士服の上着において、前記紳士服の上着が、冬物の上着であると、冬物の上着にかかわらず、軽量な上着となり、着心地と動き易い上着となる。
【００１０】
また、前記紳士服の上着において、前記裏地が、前記前身頃においてはその上部にのみ、前記袖においては少なくともアームホール部分にのみ、縫着されていると、さらに、上着の軽量化を図ることができる。
【００１１】
また、前記紳士服の上着において、前記裏地が、前記背面身頃においてはその上部にのみ縫着されていると、さらに、上着の軽量化を図ることができる。
【考案の効果】
【００１２】
前述のように構成された本考案にかかる紳士服の上着によると、可及的に軽量化が可能な上に、綺麗なフォルムを維持することができ、しかも着心地の良い、動き易い上着となる。
【図面の簡単な説明】
【００１３】
【図１】本考案の実施例にかかる紳士服の上着の構成を示す正面図である。
【図２】図１に示す上着の主要なパーツの平面形状を示す分解図である。
【図３】図１に示す紳士服の上着の袖部分の裏地を示した図である。
【考案を実施するための形態】
【００１４】
以下、本考案の実施をするための形態を、具体的に図面を参照しながら説明する。
【実施例】
【００１５】
（実施例１）
図１は、冬物の紳士服の上着Ａを正面から見た図で、かかる上着Ａは、表地の主要な縫合すべきパーツとして、図２に図示するように、前身頃１、背面身頃（後身頃ともいう）２、脇身頃３、上襟４、地襟５、及び袖６（図１の図示参照）と、さらに、この実施例の場合には、見返し７を有している。
また、図１に図示するように、前記前身頃１に縫着され正面視において左右一対に設けられるポケット８と、左胸部分に縫着される胸ポケット９とを有する。
【００１６】
そして、図２に図示するように、前記前身頃１のボタンホール部分には、スレキ１５が芯材として縫着されている。つまり、かかるスレキ１５の一部は、前記前身頃１と見返し７との間に挟まれて縫着されている。
【００１７】
また、前記前身頃１の上部、つまり肩部から胸部かけての部分には、毛芯１０が心材として縫着されている。そして、従来の上着の場合にはかかる部分に配置されていたバス毛芯とフェルト芯は、本考案にかかる上着Ａの場合には省略されている。
【００１８】
そして、この実施例にかかる上着Ａの場合には、裏地１３は、前記前身頃１の上部と、後述する袖６のアームホール部分（袖６の付け根部分）６ａ、および背面身頃２の上部にのみ取着されている。また、必要に応じて、前記裏地１３は、上着を着るときの腕の通りを良くするためには、前記アームホール部分６ａから袖口６ｂの手前の部分までの裏の部分に取着することが好ましい構成となる。
【００１９】
そして、前記毛芯１０やスレキ１５は、前記前身頃１に縫着される際、前記表地の剛さに合わせて、つまり生地がカシミヤのように柔らかい場合には縫着する縫い糸の張力を弱く、一方生地がツイードのように硬い場合には縫い糸の張力をその硬さに合わせて強くおこなわれる。このため、かかる上着Ａでは、前記バス毛芯、フェルト芯を省略しても、生地が柔らかいにも拘わらず、また生地が硬いものであっても、いずれの場合にも、前身頃１部分に綺麗なフォルムを形成することができる。
【００２０】
そして、前記前身頃１、背面身頃２、脇身頃３、上襟４、地襟５、及び袖６（図１，図３参照）は、通常の上着と同じように、それぞれの縫着部位が縫製されて、図１に図示するような上着となる。
【００２１】
そして、前述のように構成された本実施例にかかる上着の場合には、バス毛芯、フェルト芯や裏地の大部分を省略しているため、従来にない軽量化が達成されて、しかも、バス毛芯やフェルト芯等が省略されているにもかからず、前述のように構成することによって、綺麗なフォルムを維持することができる、さらに着心地が良く、動き易い上着となる。
【００２２】
特に、上着を実際に着た実感では、実際に減量した重さ以上に軽量化された着心地を得ることができる。
【００２３】
以上、本考案の一実施例について説明した。上記実施例では、前身頃の胸部の芯材として毛芯のみを使用した。しかし、この芯材として、毛芯に代えて、不織布を使用することもできる。つまり、前身頃の胸部の芯材として不織布のみを使用するのである。このように不織布のみを使用した場合であっても、従来にない軽量化が達成され、しかも、綺麗なフォルムを維持しながらも着心地が良く、動き易い上着を得ることができるという点は、上記実施例と同様である。
【００２４】
また、本考案は、前記実施例に限定されるものでなく、本考案の技術的思想に基づく範囲において種々の形態で実施することが可能となることは言うまでもない。
【産業上の利用可能性】
【００２５】
本考案にかかる紳士服の上着は、カジュアルな上着として、あるいはビジネス等の上着として、服飾分野において利用することができる。
【符号の説明】
【００２６】
Ａ…上着
１…前身頃
２…背面身頃（後身頃）
３…脇身頃
４…上襟
５…地襟
６…袖
１０…毛芯
１３…裏地
１５…スレキ
【図１】
0003177834.tif 000003
【図２】
0003177834.tif 000004
【図３】
0003177834.tif 000005